(57)【特許請求の範囲】
【請求項１】
収納用ケースと、前記ケースに配置されて物品用配置部及びその配置部の一端側に設けられた固定挟持部を形成しているベースと、前記ベースに摺動可能に配置されて前記固定挟持部との間で物品を着脱可能に挟持する固定挟持部を形成しているスライダーと、前記スライダーを付勢する付勢部材とを備えている保持装置であって、
前記ベースは、前記ケースに対して前記固定挟持部を突出している側と反対側の表面でケース開口を塞ぐ収納状態と、前記固定挟持部を突出している側をケース開口から露出する使用状態とに枢支部を介して反転切換可能に支持されるとともに、
前記ベースと前記スライダーとの間に設けられて、前記スライダーを前記付勢部材の付勢力に抗して摺動したときに任意の位置に解除可能に係止する位置規制手段と、
前記ベースと前記ケースとの間に設けられて、前記スライダーが前記付勢部材の付勢力に抗して摺動されるのに連動して前記ベースを前記ケースに対して角度変更可能にする角度調整手段とを有している、ことを特徴とする保持装置。
【請求項２】
前記角度調整手段は、前記スライダーに作動連結されてスライダーが初期位置から前記付勢手段の付勢力に抗して摺動されるのと連動して前記ベースの対応端部から外へ張り出す突出態様となる第１ロック部材と、前記ケースに設けられて前記ベースの使用状態で前記第１ロック部材と対向するとともに、前記第１ロック部材の突出態様で第１ロック部材と係合し前記ベースの角度調整後の状態を弾性保持する第２ロック部材とを有していることを特徴とする請求項１に記載の保持装置。
【請求項３】
前記第１ロック部材は基端側に設けられた突起及び先端側に設けられ爪を有して、前記突起を前記スライダーに設けられた長溝に嵌合しており、前記第２ロック部材は前記ケースの奥行き方向に配置される歯部を有して、前記爪を前記歯部に間欠的に係合可能にすることを特徴とする請求項２に記載の保持装置。
【請求項４】
前記位置規制手段は、前記スライダーに設けられたラック部と、前記ラック部と噛み合う第１ギア及び該第１ギアの一方向への回転時に第１ギアを空転するクラッチ断となり、他方向への回転時にクラッチ接となって第１ギアと一体に回転する第２ギアを有したワンウエイクラッチと、前記ベースに摺動可能に配置されて前記第２ギアと係合する方向へ付勢された通常態様から付勢力に抗した押し操作により前記係合を解除可能にする操作ボタンとを有したことを特徴とする請求項１から３に何れかに記載の保持装置。
【請求項５】
前記ワンウエイクラッチは前記スライダーが前記付勢部材の付勢力に抗して摺動されるとき前記クラッチ断、前記スライダーが前記付勢部材の付勢力により摺動されるとき前記クラッチ接に切り換えられるとともに、前記操作ボタンは前記クラッチ接の状態で前記第２ギアとの係合を解除することで前記スライダーを前記付勢部材の付勢力にて初期位置に摺動可能にすることを特徴とする請求項４に記載の保持装置。
【請求項６】
前記ベースは前記枢支部を支点として前記ケースの円弧面に沿って略１８０°回動可能に軸支されるとともに、収納状態及び使用状態の双方を安定位置とする反転ばねを有していることを特徴とする請求項１から５の何れかに記載の保持装置。
【発明の詳細な説明】
【技術分野】
【０００１】
本発明は、特に携帯電話機やゲーム機、音楽プレーヤの携帯機器又はそれに類似の物品を車室内などで使用したり一時的に保持しておく場合に好適な保持装置に関する。
【背景技術】
【０００２】
この種の保持装置としては、特許文献１に例示されるごとく物品を配置するベース（基部）と、ベースに摺動可能に配されたスライダー（摺動部材又は保持部材）と、スライダーを付勢する付勢部材とを少なくとも備え、挟持幅をスライダーの摺動を介し可変することで幅寸法が異なる物品でも保持可能にしたものが多い。すなわち、特許文献１の保持構造は、左右のスライダーが対向される挟持部を有し、ベースの両側に摺動可能に配置されるとともに、付勢部材の付勢力に抗して摺動されるようになっている。そして、物品はスライダーを付勢力に抗して摺動操作しつつ両挟持部の間に挟持される。
【０００３】
特許文献２の保持構造は、左右のスライダーが対向される挟持部を有し、ベースの両側に摺動可能に配置されるとともに、ギア及び該ギアと係脱する操作用ボタン並びに該ボタンを前記ギアと係合する方向へ付勢している付勢部材を有して左右のスライダーを摺動調整後の位置に保つ係止手段とを備えている。非使用時は、スライダーが付勢力により間の挟持幅を最も拡大しており、係止手段によりその状態が保たれている。物品は、挟持部同士の間に配置された状態から、スライダー同士を付勢力に抗し互いに接近する方向へ摺動操作することで保持される。各スライダーは、前記係止手段により摺動調整後の位置に保たれる。また、物品の保持を解放するには、前記ボタンを付勢力に抗して押すと、前記ギアに対する係合が解除されて、各スライダーが付勢力により挟持幅を最も拡大した位置まで摺動される。
【０００４】
ところで、以上の各保持装置は、車室壁などに対し粘着テープなどで取り付けられるため不使用時において安全性を損ねたり邪魔になる。この対策としては、特許文献３の収容装置のごとく引出式のスライダ部材と、スライダ部材に組み込まれて物品を保持するホルダー部材と、ホルダー部材の姿勢を制御するサポート部材とを備え、ホルダー部材がサポート部材を介してスライド部材を引き出すときに起立され、押し込む過程において伏倒されるようにした構造もある。
【先行技術文献】
【特許文献】
【０００５】
【特許文献１】特許第４１０８９８７号公報
【特許文献２】独国特許第１９５４２７２０号公報
【特許文献３】特開２００９−２１４７２４号公報
【発明の概要】
【発明が解決しようとする課題】
【０００６】
特許文献１の保持構造では、簡易タイプであるが、物品を保持する挟持力が付勢力に比例するため、例えば、付勢力を弱く設定すると挟持力も不足し、逆に付勢力を大きくすると保持操作を損ねる要因となる。
【０００７】
特許文献２の保持構造では、以上のような不具合を解消して、物品をベースに配置した状態でスライダーを摺動操作して物品を挟みその状態を係止手段により保ち、かつ物品に対する保持を操作用ボタンの押し操作により瞬時に解放できる。しかし、この保持構造において、係止手段は、前記ボタンを付勢力に抗して押さない限り、ギアと操作用ボタン側に設けられた係合部とが常に噛み合っているため、スライダーを挟持幅を縮小する方向へ摺動操作する過程で、ギアが操作用ボタン側の係合部と接しながら回転することに起因して「カチカチ」音を発生し高級感が損なわれる。
【０００８】
そこで、本発明者らは、以上のような課題認識から先に特願２００９−１１６２５８に記載の構成を、また、引出ないしは収容構造として奥行き空間を抑えたり簡易化に有利な構成として特開２００９−２７４１４５に記載の構成を工夫し出願した。本発明の目的は、それらの先願の利点に加えて、より簡易で、収容構造を採用した場合にも奥行寸法を大きく取ることがない保持装置を提供するものである。また他の目的は、簡単な機構の付加により対象物品を見やすい角度に微調整可能にすることにある。
【課題を解決するための手段】
【０００９】
上記目的を達成するため本発明は、形態を参考にして特定すると、収納用ケース１と、前記ケースに配置されて物品用配置部２０及びその配置部の一端側に設けられた固定挟持部２４を形成しているベース２と、前記ベースに摺動可能に配置されて前記固定挟持部２４との間で物品Ｋを着脱可能に挟持する固定挟持部４１を形成しているスライダー４と、前記スライダーを付勢する付勢部材Ｓ1とを備えている保持装置であって、
前記ベース２は、前記ケース１に対して前記固定挟持部２４を突出している側と反対側の表面（３）でケース開口を塞ぐ収納状態と、前記固定挟持部２４を突出している側をケース開口から露出する使用状態とに枢支部（１０，２５）を介して反転切換可能に支持されるとともに、前記ベース２と前記スライダー４との間に設けられて、前記スライダーを前記付勢部材Ｓ1の付勢力に抗して摺動したときに任意の位置に解除可能に係止する位置規制手段Ａと、前記ベース２と前記ケース１との間に設けられて、前記スライダー４が前記付勢部材Ｓ1の付勢力に抗して摺動されるのに連動して前記ベース２を前記ケース１に対して角度変更可能にする角度調整手段Ｂとを有していることを特徴としている。
【００１０】
以上の本発明は、請求項２〜５で特定したように具体化されることがより好ましい。
(ア)、前記角度調整手段Ｂは、前記スライダー４に作動連結されてスライダーが初期位置から前記付勢手段Ｓ1の付勢力に抗して摺動されるのと連動して前記ベース２の対応端部から外へ張り出す突出態様となる第１ロック部材７と、前記ケース１に設けられて前記ベース２の使用状態で前記第１ロック部材７と対向するとともに、前記第１ロック部材の突出態様で第１ロック部材と係合し前記ベース２の角度調整後の状態を弾性保持する第２ロック部材８とを有している構成である（請求項２）。
（イ）、以上の構成に加え、前記第１ロック部材７は基端側に設けられた突起７ａ及び先端側に設けられ爪７ｂを有して、前記突起７ａを前記スライダー４に設けられた長溝４２に嵌合しており、前記第２ロック部材８は前記ケース１の奥行き方向に配置される歯部８ａを有して、前記爪７ｂを前記歯部８ａに間欠的に係合可能にする構成である（請求項３）。
【００１１】
（ウ）、前記位置規制手段Ａは、前記スライダー４に設けられたラック部４５と、前記ラック部４５と噛み合う第１ギア６５及び該第１ギアの一方向への回転時に第１ギアを空転するクラッチ断となり、他方向への回転時にクラッチ接となって第１ギアと一体に回転する第２ギア６０を有したワンウエイクラッチ６と、前記ベース２に摺動可能に配置されて前記第２ギア６０（の歯）と係合する方向へ付勢された通常態様から付勢力に抗した押し操作により前記係合を解除可能にする操作ボタン５とを有した構成である（請求項４）。
（エ）、以上の構成に加え、前記ワンウエイクラッチ６は前記スライダー４が前記付勢部材Ｓ2の付勢力に抗して摺動されるとき前記クラッチ断、前記スライダー４が前記付勢部材Ｓ2の付勢力により摺動されるとき前記クラッチ接に切り換えられるとともに、前記操作ボタン５は前記クラッチ接の状態で前記第２ギア６０との係合を解除することで前記スライダー４を前記付勢部材Ｓ2の付勢力にて初期位置に摺動可能にする構成である（請求項５）。
【００１２】
（オ）前記ベース２は前記枢支部（１０，２５）を支点として前記ケース１の円弧面に沿って略１８０°回動可能に軸支されるとともに、収納状態及び使用状態の双方を安定位置とする反転ばねＳ3を有している構成である（請求項６）。
【発明の効果】
【００１３】
請求項１の発明では、ベースをケースに対して枢支部を支点として収納状態と使用状態とに切り換える反転切換構成により特許文献３のような引出構成に比べ使い勝手を維持しながらケースの奥行き寸法を抑え易く、配置箇所の奥行き空間に制約される場合に好適となる。また、物品保持操作は、ベースの使用状態において、物品をベースの配置部に置いた後、スライダーを付勢力に抗して挟持幅を小さくする方向へ摺動操作すると、位置規制手段によりスライダーを摺動後の位置（物品保持位置）に係止して物品を固定挟持部と可動挟持部との間に挟持できることから、また、スライダーが付勢力により初期位置に摺動されることから、使い勝手を良好に維持できる。しかも、物品保持姿勢としては、ベースが角度調整手段により物品を保持した角度つまり保持姿勢を簡単かつ最良の姿勢に調整できる。角度調整手段はスライダーを初期位置から付勢力に抗して摺動したときに有効となるため誤作動を生じたりがたつき要因になり難く品質を向上できる。
【００１４】
請求項２の発明では、角度調整手段がベース側に配置される第１ロック部材、及びケース側に配置されて第１ロック部材と係合しベースの角度調整後の状態を弾性保持する第２ロック部材とからなるため、簡明な角度変更操作を実現して良好な操作性を維持できる。この場合、更に、請求項３の発明では、第１ロック部材が突起と長溝との嵌合を介してスライダーに作動連結するため、また、第２ロック部材がケースの奥行き方向に配置される歯部を有して、第１ロック部材の爪をその歯部に間欠的に係合するため、角度調整作動の確実性が得られるとともに構成簡易に実施できる。
【００１５】
請求項４の発明では、位置規制手段つまりスライダーを付勢力に抗して摺動したときに任意の位置に係止したり該係止を押し操作により係止解除する構成として、スライダー側のラック部、第１ギア及びその第１ギアの一方向への回転時にクラッチ断、他方向への回転時にクラッチ接となって一体に回転する第２ギアを有したワンウエイクラッチ、通常態様で第２ギアと係合する方向へ付勢されている操作ボタンにて信頼性の高い係止作動を実現できる。この場合、更に、請求項５の発明では、特にワンウエイクラッチとしてはスライダーが付勢力に抗して摺動されるときクラッチ断、スライダーが付勢力により摺動されるときクラッチ接に切り換えられるため、また、操作ボタンがクラッチ接の状態で第２ギアとの係合を解除してスライダーを付勢力にて初期位置に摺動するため、係止作動の確実性が得られるとともに構成簡易に実施できる。
【００１６】
請求項６の発明では、ベースを略１８０°反転して収納状態と使用状態とに切り換える際に反転ばねの付勢力により反転切換操作性を助けて良好にし、各状態でのがたつきを確実に防ぐことができ、それにより品質を向上できる。
【図面の簡単な説明】
【００１７】
【図１】本発明形態の保持装置を分解して一方向から見た概略構成図である。
【図２】上記保持装置の分解状態を図１と逆方向から見た概略構成図である。
【図３】上記保持装置の外観図であり、（ａ）はケースに対するベース（保持具）の収納状態を示す図、（ｂ）はベース（保持具）の使用状態を示す図である。
【図４】（ａ）は図３（ａ）の収納状態での縦断面図（左右略中間で断面した図）及び側面図、（ｂ）は図３（ｂ）の使用状態での縦断面図及び側面図である。
【図５】上記保持装置の外観図であり、（ａ）は使用状態において物品を挟持する操作途中を示す図、（ｂ）はベースを角度変更する操作要領を示す図である。
【図６】図５（ａ）を経て物品を挟持した状態を示す外観図、（ｂ）は図５（ｂ）を経て物品を挟持した状態を示す外観図である。
【図７】（ａ）と（ｂ）は図４（ｂ）の状態から図５（ａ）の物品を挟持する操作時における作動を模式的に示す挟持過程での作動図である。
【図８】（ａ）と（ｂ）は上記保持装置の位置規制手段を構成しているワンウエイクラッチを示す径方向の模式断面図と水平方向の模式断面図である。
【図９】（ａ）と（ｂ）は上記位置規制手段の作動を説明するための作動図である。
【図１０】上記保持装置の角度調整手段の作動を示し、（ａ）は図５（ａ）の状態での縦断面図及び側面図、（ｂ）は図５（ｂ）の状態での縦断面図及び側面図である。
【発明を実施するための形態】
【００１８】
以下、本発明の形態について添付図面を参照しながら説明する。この説明では、装置構造を明らかにした後、作動特徴に言及する。
【００１９】
（装置構造）形態の保持装置は、物品Ｋを挟持する保持具９と、保持具９を縦方向略１８０°反転可能に収容する収納用ケース１とからなる。このうち、ケース１は、保持具９との間に介在される反転ばねＳ3及びクランクアーム１７などを備えている。保持具９は、概略Ｌ形の配置部２０及び配置部２０の片面に組み付けられるカバー３からなるベース２と、ベース２に摺動可能に配置されたスライダー４と、スライダー４の摺動により付勢力を蓄積したり蓄積した付勢力でスライダー４を摺動する付勢部材Ｓ1と、ベース２とスライダー４との間に設けられてスライダー４を付勢部材Ｓ1の付勢力に抗して摺動したときに任意の位置に解除可能に係止する位置規制手段Ａと、ベース２とケース１との間に設けられてスライダー４が付勢部材Ｓ1の付勢力に抗して摺動されるのに連動してベース２をケース１に対して角度変更可能にする角度調整手段Ｂなどを備えている。
【００２０】
ここで、位置規制手段Ａは、スライダー４に設けられたラック部４５、ラック部４５に作動連結されるワンウエイクラッチ６、ワンウエイクラッチ６のクラッチ接の状態でスライダー４を付勢部材Ｓ1の付勢力により摺動可能にする操作ボタン５などからなる。角度調整手段Ｂは、スライダーに作動連結されている第１ロック部材７、ケース１に保持されて第１ロック部材７と係脱するとともに係合状態でベース２の角度調整後の状態を弾性保持する第２ロック部材８などからなる。なお、ケース１、ベース２及びカバー３、スライダー４、操作ボタン５は、共に樹脂成形体からなるが、樹脂以外でも差し支えない。以下、各部材構造を組立要領とともに明らかにする。
【００２１】
ケース１は、図１及び図２に示されるごとく手前側を開口した半円盤状ないしはドーム状となっている。ケース１は、上外壁にあって開口側左右中間に設けられたボックス部１１及び開口側左右端に設けられて内部に通じている上係合穴１２と、内下壁にあって両側の上係合穴１２の真下（内側真下）に設けられた下係合穴１３と、両側の外壁にあって開口側上下略中間に貫通された軸孔１０及び開口側の上下部に突設された取付部１４とを有している。符号１５は反転ばねＳ3の一端を掛止める軸部である。符号１６ａと１６ｂは反転ばねＳ3を安定支持するリブである。符号１７はベース２の一方側を軸孔１０に配置されるクランクアーム１８を介して軸支するねじ部材である。このクランクアーム１８は、軸孔１０に差し込まれる筒部１８ａと、反転ばねＳ3の他端を掛止める係止部１８ｂとを形成している。
【００２２】
ボックス部１１は、図４及び図１０にも示されるごとく背面及び下面を欠如した内空間を区画しているとともに、上方に貫通した取付孔１１ａを形成している。内空間には、角度調整手段Ｂを構成している第２ロック部材８がばね部材Ｓ4と共に組み込まれる。すなわち、第２ロック部材８は、後述する第１ロック部材７と共に角度調整手段Ｂを構成しており、図２の拡大図のごとく下端面に設けられてケース奥行き方向に配置される歯部８ａと、上面側に設けられた凹部８ｂと、凹部８ｂの中央部に突出されて雌ねじ孔を形成している軸部８ｃとを有している。なお、歯部８ａは、ケース１の手前から奥向きに延びるラッチ歯に形成されているとともに、図２の拡大図のごとく第２ロック部材８の下端面のうち、幅方向の中間を凹状に形成している。しかし、図４及び図１０の各断面図では、理解容易にするためその中間の凹部を省略して、歯部８ａが第２ロック部材８の下端面の全面に形成されているものと仮定し作図している。それに対応して第１ロック部材の爪７ｂの形状も模式化している。
【００２３】
そして、第２ロック部材８は、例えば、凹部８ｂにばね部材Ｓ4であるコイルばねの下側を配置した状態から、ボックス部１１に対して軸部８ｃを取付孔１１ａに嵌合した後、ねじ１９をワッシャＷを介在して真上より軸部８ｃの雌ねじ孔に螺合することで弾性支持されている。すなわち、この第２ロック部材８は、スライダー４が付勢部材Ｓ1の付勢力に抗して摺動されない限り図４の断面図のごとく第１ロック部材７と離れており、スライダー４が付勢部材Ｓ1の付勢力に抗して摺動されるのと連動した第１ロック部材７の上昇移動により図１０（ａ）の断面図のごとく第１ロック部材７と弾性係合する。また、第２ロック部材８は、図１０（ｂ）の断面図のごとくベース２（保持具９）の角度変更時にばね部材Ｓ4の付勢力に抗した若干の上昇移動を伴って第１ロック部材７と係合する歯を変更してベース２を角度変更後の状態に弾性保持可能にする。
【００２４】
保持具９のうち、ベース２は、図１及び図２に示されるごとくメイン部となる物品用配置部２０と、保持具９の収納状態で配置部２０の上側縁部（使用状態で配置部２０の下側縁部）に沿って突出されている下受部２３と、配置部２０の一方側部に突出されている固定挟持部２４と、両側にあって上下略中間部から外へ突出された大径の軸部２５ａ及び小径の軸部２５ｂとを有している。また、配置部２０の背面は、上下中間より少し下側に設けられているスライダー４を配置する区画部２１と、区画部２１の下側に設けられている付勢部材Ｓ1を配置する区画部２１ａと、区画部２０の一部を前後貫通するよう切り欠いた窓部２１ｂと、区画部２１より一段上側に設けられている操作ボタン５を配置する区画部２２と、区画部２１の外面に沿って設けられている操作用凹部２１ｃ（図５（ｂ）を参照）と、背面の四隅に突出されているカバー用位置決め突起２６と、上側の突起２６同士の間と下側の突起２６同士の間及び両側の縁部にそれぞれ設けられている複数箇所の係合穴２６ａと、下受部２３側の左右から垂直に突出されている片部２７と、区画部２１ａを区画している外壁に突出されて第１ロック部材７を案内する凹状の案内部２８とを有している。
【００２５】
このうち、配置部２０のうち、物品Ｋを当接する配置面にあって窓部２１ｂを挟んだ上下部分には二枚のクッション材Ｃ1が貼着される。固定挟持部２４のうち、物品Ｋの側部を当接する内面にはクッション材Ｃ2が貼着される。クッション材Ｃ1，Ｃ2は厚肉のウレタンなどからなり、両面接着テープなどを介して取り付けられている。操作ボタン用の区画部２２は、窓部２１ｂが設けられている側が縦壁２２ａで仕切られ、反対側が外部と連通するよう壁なしの状態となっているとともに、中央部に突設されてワンウエイクラッチ６を枢支する軸部２９を有している。
【００２６】
一方、カバー３０は、意匠面に設けられた凸形の掴み部３０と、背面側にあってスライダー用区画部２１と対応した箇所に設けられている区画部３２、及び案内部２８と対応した箇所に設けられている凹状の案内部３１、並びに操作ボタン用区画部２２と対応した箇所に設けられている区画部３３とを有している。区画部３２、案内部３１、区画部３３はそれぞれリブにより区画形成されている。区画部３３には軸部２９と係合する凸部３４が設けられている。カバー３０の一側には軸部２５ａを逃がす凹部３５が設けられ、カバーの他側にはスライダー４を逃がす開口３６が設けられている。また、カバー３０の背面には、各位置決め突起２６と係合する凹部３９ａ，３９ｂと、各係合穴２６ａと係合する凸部３８と、凹部３９ａを区画している外側の左右から垂直に突出されている片部３７とが設けられている。
【００２７】
以上のカバー３０は、ベース２に対し、後述するスライダー４、操作ボタン５、付勢部材Ｓ1，Ｓ2、ワンウエイクラッチ６、第１ロック部材７を組み込んだ状態から、ベース背面側への密着操作により、位置決め突起２６と凹部３９ａ，３９ｂとの係合、係合穴２６ａと凸部３８との係合、軸部２９と凸部３４との係合を伴ってワンタッチ操作により装着される。これにより、保持具９が得られる。
【００２８】
スライダー４は、図１において、配置部側区画部２１及び窓部２１ｂに沿って摺動される本体４０と、本体４０の一端側に設けられて物品を固定挟持部２４との間に挟持する可動挟持部４１と、本体４０の背面側にあって長手方向に設けられている長溝４２と、本体４０の下側にあって可動挟持部４１に近い側に下設された凸形のばね用受部４３と、本体２０の上側にあって長手方向に設けられたラック部４５とを有している。このうち、可動挟持部４１には、挟持面にクッション材Ｃ2が貼着されるとともに、操作面となる外面に凹凸部４４が設けられている。なお、クッション材Ｃ2は、ベース２側のクッション材Ｃ2と同じく厚肉のウレタンなどからなり、物品が弾性的に受け止められることで固定挟持部２４と可動挟持部４１との間に確実に挟持されるようにする。凹凸部４４は意匠兼滑り止め用として機能する。
【００２９】
ラック部４５は、図９のごとくワンウエイクラッチ６を構成している第１ギア６５に噛み合う歯部形状となっている。長溝４２は、図７（ｂ）のごとく上下に傾斜した縦溝部４２ａ及び縦溝部４２ａの上側から水平方向に延びる横溝部４２ｂとからなる。この長溝４２は、ベース側案内部２８とカバー側案内部３１との間に摺動可能に配置される第１ロック部材７と作動連結される。すなわち、第１ロック部材７は、第２ロック部材８及びばね部材Ｓ4と共に角度調整手段Ｂを構成しており、基端側に設けられた突起７ａ及び先端側に設けられ爪７ｂ並びに中間部に設けられた凸部７ｃを有している。そして、第１ロック部材７は、図７（ａ）のごとく突起７ａが長溝４２の縦溝部４２ａに嵌合していると案内部２８に没した状態となり、図７（ｂ）のごとく突起７ａが長溝４２の横溝部４２ｂに嵌合していると案内溝２８から上へ突出した状態となる。角度調整手段Ｂは、後述するごとく第１ロック部材７の突出状態で、爪７ｂが第２ロック部材８の歯部８ａに係合するとともに、第２ロック部材８がばね部材Ｓ4の付勢力に抗した上下動を伴って爪７ｂと歯部８ａとが間欠的に係合可能となる。
【００３０】
以上のスライダー４は、ベース２に対し本体４０を区画部２１に配置した状態で、区画部２１ａに配置した付勢部材Ｓ1が、その一端側を固定挟持部２４の内面に係止し、他端側を受部４３に係止した態様で組み込まれる。すると、スライダー４は、付勢部材Ｓ1の付勢力により固定挟持部２４から離れる方向に摺動されて図７（ａ）の初期位置に配置されるとともに、付勢部材Ｓ1の付勢力に抗して固定挟持部２４側に摺動操作される。すなわち、付勢部材Ｓ1は、スライダー４が可動挟持部４１を固定挟持部２４に近づく方向に摺動されるとき付勢力を蓄積し、その蓄積された付勢力によりスライダー４を初期位置（可動挟持部４１が固定挟持部２２から最も離れた位置）に摺動されるようにする。
【００３１】
操作ボタン５は、図１及び図２において、ベース側の区画部２２に配置されるアーム部５０と、アーム部５０の一端に突設された操作部５１と、アーム部５０の左右略中間の下面側に設けられた軸部２９を逃げる凹部５２と、アーム部５０の操作部５１と反対側の端部に設けられて操作部５１と反対方向に突出した係止爪５３と、アーム部５０のベース側に配置される側面に設けられたばね用収容空間５４とを有している。操作部５１には操作面となる外面に凹凸部５５が設けられている。凹凸部５５は意匠兼滑り止め用として機能する。
【００３２】
以上の操作ボタン５は、スライダー４のラック部４５及びワンウエイクラッチ６と共にスライダー４を付勢部材Ｓ1の付勢力に抗して摺動したときに任意の位置に解除可能に係止する位置規制手段Ａを構成している。すなわち、ワンウエイクラッチ６は、図８に示されるごとくラック部４５と噛み合う第１ギア６５と、第１ギア６５に遊星歯車６９を介して作動連結する第２ギア６０とからなる。
【００３３】
第１ギア６５は、一端面が凹部６０ａになっており、凹部６０ａの中央部に突出された環状のボス３６と、外周に形成されてラック部２２と噛み合う外ギア６７と、凹部６０ａの内周に形成されて遊星歯車６９と噛み合う内ギア３８とを有している。第２ギア６０は、ボス３６を挿通する軸孔６１と、外周に設けられて操作ボタン側の係止爪５３が係脱する外ギア６２と、凹部６０ａ側に配置される端面に設けられて遊星歯車６９を遊嵌する複数の窪み部６３及び窪み部６３同士の間に設けられた安定支持用の凸部６４とを有している。窪み部６３は、図９のごとく遊星歯車６９を凹部６０ａとの間に収める深さ寸法に設定され、又、同方向にある一端側を角部６３ａに形成しており、窪み部６３内の遊星歯車６９の歯を角部６３ａ側へ僅かに逃がすことで遊星歯車を停止（これがクラッチ接の状態）可能にする。
【００３４】
以上の操作ボタン５及びワンウエイクラッチ６は、ベース２に対して次のような手順で組み付けられる。まず、操作ボタン５は、アーム部５０が収容空間５４に付勢部材Ｓ2を入れた状態でベース側の区画部２２に配置される。付勢部材Ｓ2は、コイルばねであり、一端側が縦壁２に係止され、他端側が付勢力を発現した状態で収容空間５４の操作部５１側の内端面に係止されることにより、操作ボタン５を収容空間５４から外へ突出する方向へ付勢する。操作ボタン５をベース２に配置した状態で、ワンウエイクラッチ６はベース側の軸部２９を第１ギア側ボス３６の軸孔に差し込むことにより軸部２９に回動自在に枢支される。このときは、まず、操作ボタン５を付勢部材Ｓ2の付勢力に抗し押圧移動して係止爪５３を第２ギア側の外ギア６２から離した状態で、ワンウエイクラッチ６を軸部２９に枢支すると共に第１ギア側の外ギア６７をラック部４５に噛み合わせる。その後、操作ボタン５に対する押圧を解放すると、操作ボタン５が付勢部材Ｓ2の付勢力により初期位置まで摺動されるのに伴って、係止爪５３が第２ギア側の外ギア６２の歯に係合される。
【００３５】
以上の保持具９は、図１及び図４において、ケース１に対し、軸部２５ａが一方の軸孔１０に嵌合されるとともに、軸部２５ｂが他方の軸孔１０に差し込まれるクランクアーム１８の筒部１８ａに嵌合され、かつねじ部材１７を筒部１８ａ内の軸部２５ｂの雌ねじ部に螺合することで抜け止め状態で枢支される。すなわち、保持具９は、ケース１に対して枢支部（１０，２５ａ）と枢支部（１０，２５ｂ）とを支点として、固定挟持部２４を突出している側と反対側の表面つまりカバー３でケース開口を塞ぐ図４（ａ）の収納状態と、固定挟持部２４を突出している側をケース開口から露出する図４（ｂ）の使用状態とに反転切換可能に支持される。この反転時には、保持具９がケース１の円弧面に沿って略１８０°回動される。
【００３６】
収納状態では、ベース及びカバー側の各片部２７，３７がケース側の対応する上係合穴１２に係止される。使用状態では、各片部２７，３７がケース側の対応する下係合穴１３に係止される。また、保持具９とケース１の間には反転ばねＳ3が組み付けられる。反転ばねＳ3は、巻線部の一端側がケース側の軸部１５に掛止められ、巻線部の他端側がクランプアーム１８の係止部１８ｂに掛止められることにより、保持具９を収納状態及び使用状態の双方を安定位置とするよう付勢方向を切り換える。従って、保持具９は、収納状態と使用状態とに切り換える際、反転ばねＳ3の付勢力により節度感を持って操作可能となり、各状態でのがたつきも確実に吸収される。
【００３７】
（作動）次に、保持具９をケース１を介して車両のインストルメントパネルなどに装備した場合を想定して、その作動特徴を明らかにする。なお、ケース１は、通常、車両であればインストルメントパネルやコンソールなどの適宜な箇所に埋設状態に装着される。
【００３８】
（ア）図３及び図４の各（ａ）は  保持具９がケース１に収まった収納状態を示している。この収納状態において、保持具９は、ケース側開口がカバー３により閉じられているとともに、上記したごとく各片部２７，３７がケース側の上係合穴１２に係止され、その係止状態を反転ばねＳ3の付勢力により安定保持している。
（イ）図３及び図４の各（ｂ）は  保持具９が以上の収納状態から操作者の指でカバー側掴む部３０を介して逆時計回り方向へ略１８０°回転操作され、固定挟持部２４や可動挟持部４１を突出している側をケース側開口に露出しているとともに、上記各片部２７，３７がケース側下係合穴１３に係止され、該係止状態を反転ばねＳ3の付勢力により安定保持している。つまり、この構造では、保持具９が収納状態から使用状態、使用状態から収納状態に反転ばねＳ3の付勢力に抗して切り換えられるが、切換完了近くになると反転ばねＳ3の付勢方向が反転されて切り換えられた方向に付勢されて安定保持される。
【００３９】
（ウ）図５（ａ）は保持具９が使用状態において携帯電話機Ｋを挟持する場合の操作要領を示し、図６は携帯電話機Ｋを保持具９に挟持したときの状態を示し、図７〜図１０はその際の主作動を示している。なお、図７はケース１、カバー３、クッション材Ｃ1，Ｃ2及びベース２の一部を省略したり模式化している。ここで、以上の保持具９は収納状態から使用状態に切り換えられた段階において、スライダー４は図７（ａ）のごとく付勢部材Ｓ1の付勢力により初期位置にあり、角度調整手段Ｂは第１ロック部材７が突起７ａをスライダー側長溝４２の縦溝部４２ａに嵌合ないしは移動されており、位置規制手段Ａは第１ギア６５の外ギア６７がスライダー側ラック部４５と噛み合っており、ワンウエイクラッチ６は第１ギア６５が遊星歯車６９を介して第２ギア６０と作動連結したクラッチ接の状態、操作ボタン５は付勢部材Ｓ2の付勢力により初期位置に保持された状態で係止爪５３が第２ギア６０の外ギア６２と噛み合って第２ギア６０を係止している。
【００４０】
そして、携帯電話機Ｋを挟持させるには、例えば、図５（ａ）のごとく携帯電話機Ｋを固定挟持部２４側に対応側部を当接した状態から、可動挟持部４１が携帯電話機Ｋに当たるまで（可動挟持部４１を指などで同図の右方向へ押しながら）スライダー４を付勢部材Ｓ1の付勢力に抗して固定挟持部２４側へ摺動操作する。このとき、位置規制手段Ａは、図９（ａ）のごとく第１ギア６５が外ギア６７とラック部４５との噛み合いを介して逆時計回りの方向へ回転され、遊星歯車６９の自転を伴って第２ギア６０と非作動連結つまりクラッチ断の状態となる。この状態はスライダー４を摺動操作を停止するまで維持される。可動挟持部４１から手や指を離すと、スライダー４は付勢部材Ｓ1の付勢力により初期位置へ戻ろうとする。このとき、この構造では、図９（ｂ）のごとくそのスライダー４の初期位置方向への摺動と同時に第１ギア６５が時計回りの方向へ微動し、遊星歯車６９が内ギア６８と噛み合っているため窪み部６３内で逆転しようとするが、図９（ｂ）のごとく窪み内の角部６３ａに当接して回転停止されて第２ギア６０と作動連結つまりクラッチ接の状態となる。このため、この位置規制手段Ａでは、可動挟持部４１から手や指を離すとのほぼ同時に、ワンウエイクラッチ６及び第２ギアを係止爪５３を介して係止している操作ボタン５により、スライダー４を停止状態に保つ。その結果、携帯電話機Ｋは、固定挟持部２４と可動挟持部４１との間に挟持される。この挟持状態は、両側のクッション材Ｃ2の弾性力も加わって確実化され、操作ボタン５を押さない限り維持される。携帯電話機Ｋは、以上の両側からの挟持に加え、下受部２３の上に保持されることによっても安定保持される。
【００４１】
（エ）ところで、携帯電話機Ｋの保持姿勢としては、図６（ａ）の通常姿勢から、図６（ｂ）のごとく保持角度を変更して使い勝手や画面Ｋ1をより見やすくしたいこともある。この構造では、そのような要求を上記したスライダー側の長溝４２ｂ、第１ロック部材７、第２ロック部材８、ばね部材Ｓ4を有した角度調整手段Ｂにより実現している。図５及び図１０の各（ｂ）はその角度調整手段Ｂにより保持角度を変更するときの操作及び作動を示している。
【００４２】
この構造では、上記したようにスライダー４を付勢部材Ｓ1の付勢力に抗して固定挟持部２４側へ摺動すると、第１ロック部材７が図７（ｂ）のごとくスライダー４の摺動に連動つまり突起７ａの縦溝部４２ａから横溝部４２ｂへの移行に伴って上昇移動され、図１０（ａ）のごとく先端の爪７ｂをケース側第２ロック部材８の歯部８ａに弾性係合する。このため、保持角度を変更するときは、例えば、図５（ｂ）のごとくベース側の凹部２１ｃに指を当ててベース２を手前側へ引き出すようにしたり、或いは下受部２３を利用してケース１奥側へ押すようにする。すると、以上の保持具９は、第１ロック部材が第２ロック部材８に対し、爪７ｂがケース奥行き方向ないしはケース前後方向に配置されて歯部８ａを構成している奥側の歯から外側の歯に間欠的に弾性係合し、保持具９ないしはベース２の角度調整後の状態をその係合により維持する。
【００４３】
（オ）保持具９を再び通常姿勢に戻す場合は、保持具９ないしはベース３をケース１の内側へ押すと、図１０（ａ）の断面図のごとく第１ロック部材の先端爪７ｂが歯部８ａに弾性係合された状態で、爪７ｂの背面がケース１の開口縁に当接することによって通常姿勢より過剰に押し込められないようになっている。この操作は次に述べる操作ボタン５を押し操作する前に行う。
【００４４】
（カ）挟持した携帯電話機Ｋを再び取り出すときは、図５（ａ）のごとく操作ボタン５を操作部５１に指を当てて付勢ばねＳ2の付勢力に抗して押す。すると、上記した位置規制手段Ａにおいて、操作ボタン５は図９（ｂ）の右側へ若干動き、係止爪５３が第２ギア６０の外ギア６２から係合解除される。すると、ワンウエイクラッチ６は、上記したごとく第２ギア６０が遊星歯車６９を介して第１ギア６５と作動連結つまりクラッチ接となっているため全体が空転可能状態に切り換えられる。その結果、スライダー４は、ラック部４５と第１ギアの外ギア６７の噛み合いを介してワンウエイクラッチ６を空転しつつ、付勢部材Ｓ1の付勢力により初期位置まで摺動されるため、携帯電話機Ｋに対する拘束を解放する。その後は、必要に応じて保持具９を上記した要領で使用状態から収納状態に切り換えることになる。この構造では、保持具９がケース１に対して反転切換方式を採用することで図６の使用状態及び各姿勢において、引出構造に比べ突出部分を抑えることができ、それにより簡易化及び安全性にも優れている。
【００４５】
なお、本発明は、請求項で特定される構成を実質的に備えておればよく、細部はこの形態を参考にして変更したり展開可能である。例えば、ワンウエイクラッチ６としてダンパ機構ないしは制動力を追加して全体又は第１ギア６５を緩やかに回転ないしは空転可能にしたり、保持具９を配置する装置側にケース対応部を形成したり、保持具９ないしはベース２の反転構造として縦方向に反転する構造に代えて特開２００９−２７４１４５に記載されているように横方向へ反転することである。
【符号の説明】
【００４６】
１…ケース（１０は軸孔、１１はボックス部、１２は上係合穴、１３は下係合穴）
２…ベース（２０は配置部、２４は固定挟持部、２５は枢支部用軸部）
３…カバー（３０は掴み部、３８は係合用凸部、３９ａ，３９ｂは係合用凹部）
４…スライダー（４０は本体、４１は可動挟持部、４２は長溝、４５はラック部）
５…操作ボタン（位置規制手段Ａ：５０はアーム部、５１は操作部、５３は係止爪）
６…ワンウエイクラッチ（位置規制手段Ａ：６０は第２ギア、６５は第１ギア）
７…第１ロック部材（角度調整手段Ｂ：７ａは突起、７ｂは爪）
８…第２ロック部材（角度調整手段Ｂ：８ａは歯部、８ｃは軸部）
９…保持具
Ｃ１，Ｃ2…クッション材
Ｓ1，Ｓ2…付勢部材
Ｓ3…反転ばね
Ｓ4…ばね部材（角度調整手段Ｂ）
Ｋ…携帯電話機（物品）
【図１】
0005470093.tif 000002
【図２】
0005470093.tif 000003
【図３】
0005470093.tif 000004
【図４】
0005470093.tif 000005
【図５】
0005470093.tif 000006
【図６】
0005470093.tif 000007
【図７】
0005470093.tif 000008
【図８】
0005470093.tif 000009
【図９】
0005470093.tif 000010
【図１０】
0005470093.tif 000011